【手続補正書】
【提出日】平成29年6月2日(2017.6.2)
【手続補正１】
【補正対象書類名】明細書
【補正対象項目名】発明の名称
【補正方法】変更
【補正の内容】
【発明の名称】画像処理装置およびその制御方法、並びにプログラム
【手続補正２】
【補正対象書類名】明細書
【補正対象項目名】０００１
【補正方法】変更
【補正の内容】
【０００１】
本発明は、画像処理装置およびその制御方法、並びにプログラムに関し、特に、画像処理装置におけるＷｉ−Ｆｉハンドオーバー技術に関する。
【手続補正３】
【補正対象書類名】明細書
【補正対象項目名】００１１
【補正方法】変更
【補正の内容】
【００１１】
本発明は、上記課題に鑑みてなされたものであり、モバイル端末を操作して画像処理装置を利用するユーザに対して、他の端末から割り込まれることなく連続して画像処理装置の機能を利用することができる技術を提供することを目的とする。
【手続補正４】
【補正対象書類名】明細書
【補正対象項目名】００１２
【補正方法】変更
【補正の内容】
【００１２】
上記目的を達成するために、本発明の画像処理装置は、通信端末との間でデータを送受信するための無線通信のリンクを確立する確立手段と、通信端末から受信したリクエストに基づいて所定の種類の画像処理を行う画像処理手段と、前記通信端末との前記無線通信のリンクが近距離無線通信を用いて確立されたか否かを判断する判断手段と、前記通信端末との前記無線通信のリンクが前記近距離無線通信を用いて確立されたと判断されたことに従って、前記通信端末からのリクエストに基づいて実行される前記所定の種類の画像処理が完了した後も、前記通信端末から接続解除の要求を受け付けるまでは、他の通信端末からのリクエストに基づく前記所定の種類の画像処理を実行しないよう制御し、前記通信端末との前記無線通信のリンクが前記近距離無線通信を用いて確立されたと判断されないことに従って、前記通信端末からのリクエストに基づいて実行される前記所定の種類の画像処理の実行中は、他の通信端末からのリクエストに基づく前記所定の種類の画像処理を行なわないよう制御する制御手段と、を備えることを特徴とする。
【手続補正５】
【補正対象書類名】明細書
【補正対象項目名】００１３
【補正方法】変更
【補正の内容】
【００１３】
本発明によれば、モバイル端末を操作して画像処理装置を利用するユーザに対して、他の端末から割り込まれることなく連続して画像処理装置の機能を利用することができる。
【手続補正６】
【補正対象書類名】明細書
【補正対象項目名】００１４
【補正方法】変更
【補正の内容】
【００１４】
【図１】本発明の実施形態に係る画像処理装置（画像形成装置）の利用環境の一例を示す図である。
【図２】図１における画像形成装置のハードウェア構成を示すブロック図である。
【図３】図２における操作パネルの外観の一例を示す図である。
【図４】図１におけるモバイル端末のハードウェア構成を示す図である。
【図５】画像形成装置で実行されるプルスキャン処理の一例を示すフローチャートである。
【図６】モバイル端末で実行されるプルスキャン処理の一例を示すフローチャートである。
【図７】図５のステップＳ１００４における従来のプルスキャン処理の詳細を示すフローチャートである。
【図８】画像形成装置の操作パネルに表示される画面の一例を示す図であり、（ａ）継続確認用の画面、（ｂ）タイムアウトエラー通知用のエラー画面を示す。
【図９】モバイル端末の表皮部に表示される画面の一例を示す図であり、（ａ）トークン照合不成功時のエラー画面、（ｂ）通信エラー通知用のエラー画面、（ｃ）継続確認用の画面を示す。
【手続補正７】
【補正対象書類名】明細書
【補正対象項目名】００１６
【補正方法】変更
【補正の内容】
【００１６】
図１は、本発明の実施形態に係る画像処理装置（画像形成装置）の利用環境の一例を示す図である。
【手続補正８】
【補正対象書類名】特許請求の範囲
【補正対象項目名】全文
【補正方法】変更
【補正の内容】
【特許請求の範囲】
【請求項１】
通信端末との間でデータを送受信するための無線通信のリンクを確立する確立手段と、
通信端末から受信したリクエストに基づいて所定の種類の画像処理を行う画像処理手段と、
前記通信端末との前記無線通信のリンクが近距離無線通信を用いて確立されたか否かを判断する判断手段と、
前記通信端末との前記無線通信のリンクが前記近距離無線通信を用いて確立されたと判断されたことに従って、前記通信端末からのリクエストに基づいて実行される前記所定の種類の画像処理が完了した後も、前記通信端末から接続解除の要求を受け付けるまでは、他の通信端末からのリクエストに基づく前記所定の種類の画像処理を実行しないよう制御し、前記通信端末との前記無線通信のリンクが前記近距離無線通信を用いて確立されたと判断されないことに従って、前記通信端末からのリクエストに基づいて実行される前記所定の種類の画像処理の実行中は、他の通信端末からのリクエストに基づく前記所定の種類の画像処理を行なわないよう制御する制御手段と、
を備えることを特徴とする画像処理装置。
【請求項２】
前記近距離無線通信は、ＮＦＣ（Ｎｅａｒ  Ｆｉｅｌｄ  Ｃｏｍｍｕｎｉｃａｔｉｏｎ）通信であり、前記確立手段が確立する前記無線通信のリンクは、Ｗｉ−Ｆｉに準拠する無線通信のリンクであることを特徴とする請求項１に記載の画像処理装置。
【請求項３】
原稿を読み取る読取手段を更に備え、
前記画像処理手段が実行する前記所定の種類の画像処理は、前記読取手段で原稿を読み取って得られた画像に基づくデータを通信端末に送信する画像処理であることを特徴とする請求項１または２に記載の画像処理装置。
【請求項４】
印刷データに基づきシートに画像を印刷する印刷手段を更に備え、
前記制御手段は、前記他の通信端末からのリクエストに基づく前記所定の種類の画像処理を実行しないように制御している場合であっても、前記他の端末から受信した印刷処理のリクエストに基づく印刷については制限を行わないことを特徴とする請求項３に記載の画像処理装置。
【請求項５】
前記近距離無線通信を用いて前記無線通信のリンクを確立した通信装置に対してトークンを発行する発行手段をさらに備え、
前記判断手段は、前記通信端末から受信した前記所定の種類の画像処理を行うための前記リクエストに含まれるトークンを示す情報と、前記発行手段が発行したトークンとが一致する場合に、前記リクエストの送信元である前記通信端末との前記無線通信のリンクが前記近距離無線通信を用いて確立されたと判断することを特徴とする請求項１乃至４のいずれか１項に記載の画像処理装置。
【請求項６】
前記通信端末から接続解除の要求を受け付けたことに従って、前記確立手段が確立した前記無線通信のリンクを解放する解放手段を更に備え、
前記制御手段は、前記解放手段によって前記通信端末との前記無線通信のリンクが解放されたことに応じて、前記他の通信端末からのリクエストに基づく前記所定の種類の画像処理の実行に関する制限を解除することを特徴とする請求項１乃至５のいずれか１項に記載の画像処理装置。
【請求項７】
前記制御手段は、前記通信端末との前記無線通信のリンクが前記近距離無線通信を用いて確立されたと判断された場合であっても、前記通信端末からのリクエストを一定期間内に受信しなかったことに応じて、前記他の通信端末からのリクエストに基づく前記所定の種類の画像処理の実行に関する制限を解除することを特徴とする請求項１乃至６のいずれか１項に記載の画像処理装置。
【請求項８】
前記制御手段が前記他の通信端末からのリクエストに基づく前記所定の種類の画像処理の実行を制限している状態で、当該他の通信端末から前記所定の種類の画像処理を実行するためのリクエストを受信した場合に、当該リクエストを受信することなく、当該他の通信端末にエラーを通知する通知手段を更に備えることを特徴とする請求項１乃至７のいずれか１項に記載の画像処理装置。
【請求項９】
前記通信端末からのリクエストに基づく前記所定の種類の画像処理が完了した後、前記通信端末から更なるリクエストを受け付けるか否かをユーザに問い合わせる問合せ手段を更に備えることを特徴とする請求項１乃至８のいずれか１項に記載の画像処理装置。
【請求項１０】
画像処理装置の制御方法であって、
通信端末との間でデータを送受信するための無線通信のリンクを確立する確立工程と、
通信端末から受信したリクエストに基づいて所定の種類の画像処理を行う画像処理工程と、
前記通信端末との前記無線通信のリンクが近距離無線通信を用いて確立されたか否かを判断する判断工程と、
前記通信端末との前記無線通信のリンクが前記近距離無線通信を用いて確立されたと判断されたことに従って、前記通信端末からのリクエストに基づいて実行される前記所定の種類の画像処理が完了した後も、前記通信端末から接続解除の要求を受け付けるまでは、他の通信端末からのリクエストに基づく前記所定の種類の画像処理を実行しないよう制御し、前記通信端末との前記無線通信のリンクが前記近距離無線通信を用いて確立されたと判断されないことに従って、前記通信端末からのリクエストに基づいて実行される前記所定の種類の画像処理の実行中は、他の通信端末からのリクエストに基づく前記所定の種類の画像処理を行なわないよう制御する制御工程と、
を有することを特徴とする画像処理装置の制御方法。
【請求項１１】
請求項１０に記載の画像処理装置の制御方法をコンピュータに実行させるためのプログラム。